(57)【要約】  利用者が各ベーンの方向を運転中においても簡易的に個別に制御することができ、空調空間の快適性を向上させることができる空気調和機を得ることを目的として、複数のベーンを有する室内機と、この室内機を制御する複数のリモコンを備える空気調和機であって、複数のリモコンのいずれかにおいて、複数のベーンのいずれかが選択されると、選択を行った１つのリモコンと室内機との間で制御情報の送受信を行い、選択を行った１つのリモコンと複数のベーンのうち選択された１つのベーンを対応付けて室内機に記録し、選択された１つのベーンは、選択を行った１つのリモコンによって独占的に制御される。
2016157446.tif 000002
【特許請求の範囲】
【請求項１】
複数のベーンを有する室内機と、この室内機を制御する複数のリモコンを備える空気調和機であって、
前記複数のリモコンのいずれかにおいて、前記複数のベーンのいずれかが選択されると、前記選択を行った１つのリモコンと前記室内機との間で制御情報の送受信を行い、
前記選択を行った１つのリモコンと前記複数のベーンのうち選択された１つのベーンを対応付けて前記室内機に記録し、
前記選択された１つのベーンは、前記選択を行った１つのリモコンによって独占的に制御されることを特徴とする空気調和機。
【請求項２】
前記複数のリモコンのいずれかにおいて、前記複数のベーンのうち既に前記複数のリモコンのいずれかに対応付けられたベーンを選択して設定の解除を行うことで独占的な制御を解除することを特徴とする請求項１に記載の空気調和機。
【請求項３】
前記選択された１つのベーンの導風方向の延長線上には、このベーンと対応付けられたリモコンが設置されていることを特徴とする請求項１に記載の空気調和機。
【請求項４】
前記室内機における前記複数のベーンの個数と、前記複数のリモコンの台数が等しいことを特徴とする請求項１に記載の空気調和機。
【発明の詳細な説明】
【技術分野】
【０００１】
本発明は、複数方向に対する吹き出し口及びベーンを有する室内機を含む空気調和機に関する。
【背景技術】
【０００２】
従来、複数方向に対する吹き出し口及びベーンを有する室内機として、４方向に吹き出し口及びベーンを有する、天井埋込カセット型室内機が知られている。このような天井埋込カセット型室内機では、リモコンにより風向を制御すると、全てのベーンが一斉に駆動するように設定されている。また、設置環境に問題があって一部のベーンの方向を変更したい場合には、リモコンの設定画面を開くことで一部のベーンの方向を調整することも可能となってきている。【０００３】
このような技術の一例である特許文献１には、「空気調和機の室内機内部で過飽和状態の空気が送風機に衝突してこの過飽和状態が解除されやすく、水分が送風機に凝縮し、室内機の吹出口から露が滴下する」との課題を解決するために、「空気調和機本体の送風機により吸込口から吸い込まれた室内空気が送風機から熱交換器を通過して吹出口へ流通する風路に、熱交換器を加熱用熱交換器と冷却用熱交換器とに熱的に分割して上下方向に配置した。さらに複数の吹出口に設けた風向ベーンを独立して個別に駆動制御できる構成とし、リモコンからそれぞれの風向ベーンを制御指令するとともに、空調する室内空気の湿度制御も行う」空気調和機が開示されている。
【先行技術文献】
【特許文献】
【０００４】
【特許文献１】特開２００３−１３９３８２号公報
【発明の概要】
【発明が解決しようとする課題】
【０００５】
しかしながら、上記従来の技術によれば、各ベーンを個別に制御したい場合には、その都度リモコンの設定画面を開いて設定情報を室内機へ送信しなければならない。そのため、操作が煩雑である、という問題があった。【０００６】
また、上記従来の技術は、設置環境に問題がある場合に止むを得ず一部のベーンの方向を変更し、その後はベーンを固定して運転することを前提としたものである。そのため、ベーンの方向を頻繁に変えるように動作させることは適当でない。【０００７】
本発明は、上記に鑑みてなされたものであって、利用者が各ベーンの方向を運転中においても簡易的に個別に制御することができ、空調空間の快適性を向上させることができる空気調和機を得ることを目的とする。
【課題を解決するための手段】
【０００８】
上述した課題を解決し、目的を達成するために、本発明に係る空気調和機は、複数のベーンを有する室内機と、この室内機を制御する複数のリモコンを備える空気調和機であって、前記複数のリモコンのいずれかにおいて、前記複数のベーンのいずれかが選択されると、前記複数のリモコンと前記室内機との間で制御情報の送受信を行い、前記選択を行った１つのリモコンと前記複数のベーンのうち選択された１つのベーンを対応付けて前記室内機に記録し、前記選択された１つのベーンは、前記選択を行った１つのリモコンによって独占的に制御されることを特徴とする。
【発明の効果】
【０００９】
本発明に係る空気調和機は、利用者が各ベーンの方向を運転中においても簡易的に個別に制御することができ、空調空間の快適性を向上させることができるという効果を奏する。
【図面の簡単な説明】
【００１０】
【図１】実施の形態に係る空気調和機の室内機及びリモコンの外観構成の一例を示す図
【図２】実施の形態に係る空気調和機の室内機及びリモコンの構成の一例を示すブロック図
【図３】ベーン制御設定画面の一例を示す図
【図４】ベーン番号割り当て画面の一例を示す図
【図５】ベーン番号割り当て画面上にポップアップが表示された画面の一例を示す図
【図６】ベーン制御設定画面の一例を示す図
【図７】ベーン番号割り当て解除画面の一例を示す図
【図８】ベーン番号割り当て解除画面上にポップアップが表示された画面の一例を示す図
【図９】ベーンのリモコンへの割り当て状態を示すテーブル
【図１０】ベーンのリモコンへの割り当て動作を示すフローチャート
【図１１】ベーンのリモコンへの割り当て解除動作を示すフローチャート
【発明を実施するための形態】
【００１１】
以下に、本発明の実施の形態に係る空気調和機を図面に基づいて詳細に説明する。なお、この実施の形態によりこの発明が限定されるものではない。
【００１２】
実施の形態．
図１は、本発明の実施の形態に係る空気調和機の室内機及びリモコンの外観構成の一例を示す図である。図１に示す空気調和機は、リモコンからの信号を受信する受光部２と、空気調和又は換気時の吹き出し口及び吸い込み口として使用される格子状の板であるグリル３と、導風を行うベーン４Ａ，４Ｂ，４Ｃ，４Ｄとを有する、４方向カセットパネルの室内機１及びリモコン５ａ，５ｂ，５ｃ，５ｄを備える。室内機１は、リモコン５ａ，５ｂ，５ｃ，５ｄへ制御情報を送信し、受光部２によりリモコン５ａ，５ｂ，５ｃ，５ｄからの制御情報を受信する。リモコン５ａ，５ｂ，５ｃ，５ｄは、室内機１へ制御情報を送信し、室内機１からの制御情報を受信する。なお、リモコン５ａはリモコン表示部６ａを含み、リモコン５ｂはリモコン表示部６ｂを含み、リモコン５ｃはリモコン表示部６ｃを含み、リモコン５ｄはリモコン表示部６ｄを含む。
【００１３】
図２は、本発明の実施の形態に係る空気調和機の室内機及びリモコンの構成の一例を示すブロック図である。図２に示す空気調和機は、室内機１の動作を制御する制御部１０、制御部１０からの指令によりリモコン５に制御情報を送信する送信部１１、リモコン５からの制御情報を受信する受信部１２及び制御部１０からの制御情報を記録するメモリ部１３を有する室内機１と、リモコン５の動作を制御する制御部５０、制御部５０からの指令により室内機１に制御情報を送信する送信部５１、室内機１からの制御情報を受信する受信部５２、ユーザとの入力インターフェースである入力部５３及び制御情報を表示する表示部５４を有するリモコン５ａとを備える。
【００１４】
なお、図２においては、リモコン５ａ，５ｂ，５ｃ，５ｄを代表してリモコン５ａを図示しているが、リモコン５ｂ，５ｃ，５ｄの構成もリモコン５ａと同様である。また、送信部１１と受信部１２は、送受信部として設けられていてもよい。同様に、送信部５１と受信部５２は、送受信部として設けられていてもよい。また、入力部５３と表示部５４は、一体形成された表示入力部として設けられていてもよい。表示入力部には、タッチパネルを例示することができる。なお、図１に示す受光部２は、図２に示す受信部１２に相当する。また、図１に示すリモコン表示部６ａ，６ｂ，６ｃ，６ｄは、図２に示す表示部５４に相当する。
【００１５】
図３から図５は、本実施の形態において、ベーン割り当て時のリモコンの設定画面の一例を示す図である。すなわち、リモコン表示部６ａ，６ｂ，６ｃ，６ｄのいずれかに表示される画面の一例である。ここでは、ベーン４Ｃ，４Ｄは他のリモコンに既に割り当て済みであり、ベーン４Ａの割り当てを行う場合を例示して説明する。
【００１６】
図３は、ベーン制御設定画面の一例を示す図である。ここでは、「ベーン番号割り当て」及び「ベーン番号割り当て解除」が表示されており、カーソルを移動することによりいずれかの動作を選択することが可能であり、「ベーン番号割り当て」を選択する。
【００１７】
図４は、ベーン番号割り当て画面の一例を示す図である。ここでは、「ベーンＡ、Ｂは割り当てられていません。割り当てるベーンの記号を選択して下さい。」と表示されており、カーソルを移動することにより「Ａ」「Ｂ」のいずれかを選択することが可能であり、「Ａ」を選択する。
【００１８】
図５は、ベーン番号割り当て画面上にポップアップが表示された画面の一例を示す図である。ここでは、図４に示す画面上に「ベーンＡを割り当てました。」と記載されたポップアップが表示されている。このようにして、簡易的に各リモコンに各ベーンを割り当てることが可能である。
【００１９】
図６から図８は、本実施の形態において、ベーン割り当て解除時のリモコンの設定画面の一例を示す図である。すなわち、リモコン表示部６ａ，６ｂ，６ｃ，６ｄのいずれかに表示される画面の一例である。ここでは、ベーン４Ｃ，４Ｄは他のリモコンに既に割り当て済みであり、ベーン４Ｃの割り当て解除を行う場合を例示して説明する。
【００２０】
図６は、ベーン制御設定画面の一例を示す図である。ここでは、図３と同様に、「ベーン番号割り当て」及び「ベーン番号割り当て解除」が表示されており、カーソルを移動することによりいずれかの動作を選択することが可能であり、「ベーン番号割り当て解除」を選択する。
【００２１】
図７は、ベーン番号割り当て解除画面の一例を示す図である。ここでは、「ベーンは、Ｃ、Ｄが割り当てられています。解除するベーンの記号を選択して下さい。」と表示されており、カーソルを移動することにより「Ｃ」「Ｄ」のいずれかを選択することが可能であり、「Ｃ」を選択する。
【００２２】
図８は、ベーン番号割り当て解除画面上にポップアップが表示された画面の一例を示す図である。ここでは、図８に示す画面上に「ベーンＣを解除しました。」と記載されたポップアップが表示されている。このようにして、簡易的に各リモコンに割り当てられたベーンを解除することが可能である。
【００２３】
図９は、ベーンのリモコンへの割り当て状態を示すテーブルである。図９において、「Ａ」と表記されたベーン４Ａは「ｃ」と表記されたリモコン５ｃへ割り当てられ、「Ｃ」と表記されたベーン４Ｃは「ｂ」と表記されたリモコン５ｂへ割り当てられ、「Ｄ」と表記されたベーン４Ｄは「ａ」と表記されたリモコン５ａへ割り当てられ、「Ｂ」と表記されたベーン４Ｂはいずれのリモコンにも割り当てられていない。本実施の形態においては、各ベーンを複数のリモコンに割り当てることはできないという制約が設けられている。そのため、図９には、ベーン４Ａをリモコン５ｃに割り当てた後にベーン４Ａをリモコン５ｄに割り当てることはできないことを示している。図９に示すテーブルは室内機１のメモリ部１３に記録されており、割り当て動作時及び割り当て解除動作時にはこのテーブルを書き換え、書き換えた後には書き換えが正常に行われたこと及び制約が遵守されていることを室内機１の制御部１０がチェックする。
【００２４】
図１０は、ベーンのリモコンへの割り当て動作を示すフローチャートである。ここでは、リモコン５ａを例示して説明する。リモコン５ａにて「ベーン番号割り当て」が選択されると処理を開始し（Ｓ１）、室内機１の制御部１０は、メモリ部１３に記録された割り当て状態を示すテーブルを参照し、割り当てられていないベーンが残っているか否かの判定を行う（Ｓ２）。
【００２５】
Ｓ２でＮｏに分岐する場合、すなわち、割り当てられていないベーンが残っていない場合には、室内機１は、割り当てるベーンがない旨をリモコン５ａへ送信し（Ｓ３）、リモコン５ａのリモコン表示部６ａには「ベーンは全て他リモコンに割り当てられています。」と表示され（Ｓ４）、処理を終了する（Ｓ１３）。
【００２６】
Ｓ２でＹｅｓに分岐する場合、すなわち、割り当てられていないベーンが残っている場合には、室内機１から割り当てられていないベーンの情報をリモコン５ａに送信し（Ｓ５）、リモコン５ａのリモコン表示部６ａには割り当て可能なベーンの情報、すなわちリモコンに割り当てがされていないベーンの情報が表示される（Ｓ６）。リモコン５ａのリモコン表示部６ａに表示された割り当て可能なベーンのうちのいずれかがユーザによって選択されると（Ｓ７）、リモコン５ａは、室内機１へ選択されたベーンの情報を送信する（Ｓ８）。室内機１は、リモコン５ａにて選択されたベーンの情報によってベーンの割り当てを行い、メモリ部１３に記録された割り当て状態を示すテーブルを書き換えてリモコン５ａへ割り当て完了の情報を送信する（Ｓ９）。リモコン５ａのリモコン表示部６ａには割り当てたベーンの情報が表示される（Ｓ１０）。
【００２７】
その後、室内機１の制御部１０は、メモリ部１３に記録された割り当て状態を示すテーブルを参照し、割り当てられていないベーンが残っているか否かの判定を再度行う（Ｓ１１）。Ｓ１１でＮｏに分岐する場合、すなわち、割り当てられていないベーンが残っていない場合には、処理を終了する（Ｓ１３）。Ｓ１１でＹｅｓに分岐する場合、すなわち、割り当てられていないベーンが残っている場合には、室内機１の制御部１０は、割り当てられていないベーンを自動制御に設定し（Ｓ１２）、処理を終了する（Ｓ１３）。このようにして、選択されたベーンは、選択を行ったリモコンによって独占的に制御される。
【００２８】
図１１は、ベーンのリモコンへの割り当て解除動作を示すフローチャートである。ここでは、リモコン５ａを例示して説明する。リモコン５ａにて「ベーン番号割り当て解除」が選択されると、処理を開始し（Ｓ２１）、リモコン５ａは、室内機１へ割り当てられているベーンの情報を要求する（Ｓ２２）。室内機１の制御部１０は、メモリ部１３に記録された割り当て状態を示すテーブルを参照し、ベーンが割り当てられているか否かの判定を行う（Ｓ２３）。
【００２９】
Ｓ２３でＮｏに分岐する場合、すなわち、全てのリモコンに割り当てられたベーンが存在しない場合には、室内機１は、ベーンが割り当てられていない旨をリモコン５ａへ送信し（Ｓ２４）、リモコン５ａのリモコン表示部６ａには「全てのベーンは割り当てられていません。」と表示され（Ｓ２５）、処理を終了する（Ｓ３３）。
【００３０】
Ｓ２３でＹｅｓに分岐する場合、すなわち、いずれかのリモコンに割り当てられたベーンが存在する場合には、室内機１は割り当てられているベーンの情報をリモコン５ａへ送信し（Ｓ２６）、リモコン５ａのリモコン表示部６ａには割り当てられているベーンの情報が表示される（Ｓ２７）。リモコン５ａのリモコン表示部６ａに表示された、割り当てられているベーンのうちのいずれかがユーザによって選択されると（Ｓ２８）、リモコン５ａは室内機１へ選択されたベーンの情報を送信する（Ｓ２９）。室内機１は、選択されたベーンに対して解除設定を行い（Ｓ３０）、解除設定した情報をリモコンへ送信する（Ｓ３１）。リモコン５ａのリモコン表示部６ａには解除設定されたベーンの情報が表示され（Ｓ３２）、処理を終了する（Ｓ３３）。なお、解除設定されたベーンは、自動制御に移行するよう設定される。このようにして、リモコンによってベーンを独占的に制御する設定である場合に、これを解除することが可能である。
【００３１】
以上説明したように、本実施の形態に係る空気調和機は、複数のベーンの各々を複数のリモコンのいずれかに割り当て、すなわち、リモコンとベーンを関連付けることで、利用者がリモコンによって各ベーンの方向を運転中においても簡易的に個別に制御することができ、空調空間の快適性を向上させることができる。
【００３２】
なお、本実施の形態においては、ベーンを４つとした４方向カセットパネルの室内機を例示して説明したが、本発明においてベーンの個数はこれに限定されず、複数であればよい。また、本実施の形態においては、リモコンの台数を４つとした場合を例示して説明したが、リモコンの台数はこれに限定されず、複数であればよい。ベーンの個数とリモコンの台数とを等しくすると、各ベーンと各リモコンを対応付けしやすいため好ましいが、これに限定されるものではない。すなわち、ベーンの個数を４つとし、リモコンの台数を２つとしてもよい。この場合には２つのベーンはリモコンに割り当てられずに余り、自動制御設定されることになる。又は、ベーンの個数を２つとし、リモコンの台数を４つとしてもよい。
【００３３】
なお、以上説明した本実施の形態においては、リモコンを用いた選択操作によってこのリモコンと対応付けられたベーンの導風方向とリモコンが設置されている方向とを一致させることができる。すなわち、選択された１つのベーンの導風方向の延長線上に、このベーンと対応付けられたリモコンを設置することができ、ユーザは、自身を向いているベーンの導向方向を個別に制御することで、空調空間の快適性を向上させることができる。
【００３４】
なお、本実施の形態においては、リモコンがワイヤレスリモコンである場合を例示して説明したが、本発明はこれに限定されるものではなく、リモコンは有線リモコンであってもよい。この場合には、ベーンが導風する方向に有線リモコンを設置し、ベーンの導風方向の延長線上に存在するユーザがこのベーンの導風方向を制御可能とすることで、空気調和機の快適性及び利便性を向上することができる。
【００３５】
また、本実施の形態の空気調和機の室内機には天井埋込カセット型室内機を例示して説明したが、本発明はこれに限定されるものではなく、天吊り型、又は壁掛型の室内機にも適用可能である。
【００３６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３７】
１  室内機、２  受光部、３  グリル、４Ａ，４Ｂ，４Ｃ，４Ｄ  ベーン、５ａ，５ｂ，５ｃ，５ｄ  リモコン、６ａ，６ｂ，６ｃ，６ｄ  リモコン表示部、１０  制御部、１１  送信部、１２  受信部、１３  メモリ部、５０  制御部、５１  送信部、５２  受信部、５３  入力部、５４  表示部。
【図１】
2016157446.tif 000003
【図２】
2016157446.tif 000004
【図３】
2016157446.tif 000005
【図４】
2016157446.tif 000006
【図５】
2016157446.tif 000007
【図６】
2016157446.tif 000008
【図７】
2016157446.tif 000009
【図８】
2016157446.tif 000010
【図９】
2016157446.tif 000011
【図１０】
2016157446.tif 000012
【図１１】
2016157446.tif 000013
【国際調査報告】
2016157446.tif 000014
2016157446.tif 000015
2016157446.tif 000016
2016157446.tif 000017